(57)【要約】【課題】ダンパの放音方向の寸法を増加させることなく、振動側取付部と固定側取付部との間を伸縮可能とすることができ、狭いスペースに配設可能であり、振動板の振動を妨げることがなく、製造が容易で、コストが低くなるようにする。【解決手段】磁気回路部と協働して振動を発生する駆動部材の振動を振動板に伝達する振動伝達部材を放音方向に振動可能に支持するスピーカ用ダンパであって、外力が付与されない初期状態において平板状であり、振動伝達部材に取付けられる振動側取付部と、磁気回路部を固定する筐体に取付けられる固定側取付部と、振動側取付部と固定側取付部とを連結する連結部とを含み、連結部は一対であって、振動側取付部の２箇所に接続され、振動側取付部に接続される端部と固定側取付部に接続される端部とは、振動側取付部の中心を通過して振動板の長手方向に延在する長軸を挟んで互いに反対側に位置する。【選択図】図１
2013192205.tif 000002
【特許請求の範囲】
【請求項１】
（ａ）磁気回路部と協働して振動を発生する駆動部材の振動を振動板に伝達する振動伝達部材を放音方向に振動可能に支持するスピーカ用ダンパであって、
（ｂ）外力が付与されない初期状態において平板状であり、
（ｃ）前記振動伝達部材に取付けられる振動側取付部と、前記磁気回路部を固定する筐体に取付けられる固定側取付部と、前記振動側取付部と固定側取付部とを連結する連結部とを含み、
（ｄ）該連結部は一対であって、前記振動側取付部の２箇所にそれぞれ接続されるとともに、各連結部の前記振動側取付部に接続される端部と前記固定側取付部に接続される端部とは、振動側取付部の中心を通過して前記振動板の長手方向に延在する長軸を挟んで互いに反対側に位置することを特徴とするスピーカ用ダンパ。
【請求項２】
前記振動板は、放音側から観て、幅が狭くて細長い平面形状を備え、
前記連結部は、外力が付与されない初期状態において平板状であり、かつ、前記振動板の長手方向に屈曲しながら延在する請求項１に記載のスピーカ用ダンパ。
【請求項３】
前記連結部のそれぞれは、略Ｓ字状の平面形状を備える請求項１又は２に記載のスピーカ用ダンパ。
【請求項４】
前記連結部は、幅及び厚さが一定の帯状であり、幅をＷ、厚さをｔとすると、
Ｗ／ｔ≧２
の関係を満足する請求項１〜３のいずれか１項に記載のスピーカ用ダンパ。
【請求項５】
前記固定側取付部は、前記振動板の長手方向に延在する長辺部と、前記振動板の短手方向に延在する短辺部とを含む矩形の平面形状を備える請求項１〜４のいずれか１項に記載のスピーカ用ダンパ。
【請求項６】
前記固定側取付部は、前記振動板の短手方向に延在する細長い帯状の平面形状を備える請求項１〜４のいずれか１項に記載のスピーカ用ダンパ。
【請求項７】
前記固定側取付部は、前記振動板の短手方向に延在する細長い帯状の平面形状を備え、前記筐体に一体的に接続される請求項１〜４のいずれか１項に記載のスピーカ用ダンパ。
【請求項８】
前記筐体は、前記磁気回路部と振動板との間に配設された仕切板部であって該仕切板部を厚さ方向に貫通する貫通開口が形成された仕切板部を含み、前記振動側取付部及び連結部は放音側から観て前記貫通開口内に位置し、前記固定側取付部は、前記貫通開口の周縁において、前記仕切板部に一体的に接続される請求項７に記載のスピーカ用ダンパ。
【請求項９】
（ａ）振動板と、該振動板を振動させるドライバユニットと、前記振動板の反放音側を覆うエンクロージャとして機能する筐体とを有するスピーカ装置であって、
（ｂ）前記振動板及び筐体は、放音側から観て、幅が狭くて細長い平面形状を備え、
（ｃ）前記ドライバユニットは、磁気回路部と、該磁気回路部と協働して振動を発生する駆動部材と、該駆動部材の振動を前記振動板に伝達する振動伝達部材とを備え、
（ｄ）前記磁気回路部は前記筐体の外側かつ反放音側で前記筐体に保持され、
（ｅ）前記振動伝達部材は、前記筐体の内側で、請求項１〜８のいずれか１項に記載のスピーカ用ダンパを介して、放音方向に振動可能に前記筐体に保持されることを特徴とするスピーカ装置。
【発明の詳細な説明】
【技術分野】
【０００１】
本発明は、スピーカ用ダンパ及び該ダンパを有するスピーカ装置に関するものである。
【背景技術】
【０００２】
従来、音響機器に装着されて音を発生させるためにスピーカ装置が使用されている。このようなスピーカ装置は、ボイスコイルを振動させ、該ボイスコイルの振動を伝達して振動板を振動させ、音を発生する。なお、ボイスコイルは、円形のコルゲーションダンパを介して、フレーム等の部材に振動自在に支持されている。
【０００３】
しかし、近年では、音響機器の小型化及び薄型化が進み、それに伴い、円形でなく、長円形乃至長方形のような形状のスピーカ装置が求められているが、このような形状のスピーカ装置に円形のコルゲーションダンパを用いることは困難である。そこで、平面形状が略長方形のダンパが提案されている（例えば、特許文献１参照。）。
【０００４】
図１２は従来のスピーカ装置のダンパを示す斜視図である。
【０００５】
図において、８５０はスピーカ装置のダンパであり、ボイスコイルを嵌（かん）挿して取付けるためのボイスコイル接着部８５１と、ダンパ８５０をフレームに取付けるためのフレーム貼（てん）着部８５３とを有する。そして、ボイスコイル接着部８５１とフレーム貼着部８５３とは、直線的な帯板から成る４本の支持梁（ばり）８５２の両端に固着されることによって、連結されている。
【０００６】
これにより、ダンパ８５０の平面形状を細長い長方形とすることができ、ダンパ８５０の幅方向の寸法を長円形乃至長方形のスピーカ装置の幅寸法よりも小さくすることができる。
【先行技術文献】
【特許文献】
【０００７】
【特許文献１】実公平１−２９９１９号公報
【発明の概要】
【発明が解決しようとする課題】
【０００８】
しかしながら、前記従来のスピーカ装置においては、ボイスコイル接着部８５１とフレーム貼着部８５３と連結する支持梁８５２が直線的な帯板から成るので、柔軟性に乏しく、ダンパ８５０全体のコンプライアンスが低下し、ボイスコイル接着部８５１に取付けられたボイスコイルの動きが阻害されてしまう。その結果、振動板の振動が影響を受け、音の再現性が低下してしまう。
【０００９】
もっとも、支持梁８５２を波板状に形成、すなわち、コルゲーションを付与することによって、支持梁８５２の柔軟性を増加させ、ダンパ８５０全体のコンプライアンスを向上させることもできる。
【００１０】
しかし、支持梁８５２にコルゲーションを付与すると、支持梁８５２の厚さ方向、すなわち、放音方向の寸法が増加し、ダンパ８５０全体の放音方向の寸法が増加してしまうので、放音方向の寸法が小さな小型で薄型のスピーカ装置に使用することが困難になる。
【００１１】
本発明は、前記従来のスピーカ装置の問題点を解決して、平板状のダンパにおける振動側取付部と固定側取付部とを連結する一対の連結部を形成することによって、ダンパの放音方向の寸法を増加させることなく、振動側取付部と固定側取付部との間を伸縮可能とすることができ、狭いスペースに配設可能であり、振動板の振動を妨げることがなく、製造が容易で、コストの低いスピーカ用ダンパ及び該ダンパを有するスピーカ装置を提供することを目的とする。
【課題を解決するための手段】
【００１２】
そのために、本発明のスピーカ用ダンパにおいては、磁気回路部と協働して振動を発生する駆動部材の振動を振動板に伝達する振動伝達部材を放音方向に振動可能に支持するスピーカ用ダンパであって、外力が付与されない初期状態において平板状であり、前記振動伝達部材に取付けられる振動側取付部と、前記磁気回路部を固定する筐（きょう）体に取付けられる固定側取付部と、前記振動側取付部と固定側取付部とを連結する連結部とを含み、該連結部は一対であって、前記振動側取付部の２箇所にそれぞれ接続されるとともに、各連結部の前記振動側取付部に接続される端部と前記固定側取付部に接続される端部とは、振動側取付部の中心を通過して前記振動板の長手方向に延在する長軸（α）を挟んで互いに反対側に位置する。
【００１３】
本発明の他のスピーカ用ダンパにおいては、さらに、前記振動板は、放音側から観て、幅が狭くて細長い平面形状を備え、前記連結部は、外力が付与されない初期状態において平板状であり、かつ、前記振動板の長手方向に屈曲しながら延在する。
【００１４】
本発明の更に他のスピーカ用ダンパにおいては、さらに、前記連結部のそれぞれは、略Ｓ字状の平面形状を備える。
【００１５】
本発明の更に他のスピーカ用ダンパにおいては、さらに、前記連結部は、幅及び厚さが一定の帯状であり、幅をＷ、厚さをｔとすると、Ｗ／ｔ≧２の関係を満足する。
【００１６】
本発明の更に他のスピーカ用ダンパにおいては、さらに、前記固定側取付部は、前記振動板の長手方向に延在する長辺部と、前記振動板の短手方向に延在する短辺部とを含む矩（く）形の平面形状を備える。
【００１７】
本発明の更に他のスピーカ用ダンパにおいては、さらに、前記固定側取付部は、前記振動板の短手方向に延在する細長い帯状の平面形状を備える。
【００１８】
本発明の更に他のスピーカ用ダンパにおいては、さらに、前記固定側取付部は、前記振動板の短手方向に延在する細長い帯状の平面形状を備え、前記筐体に一体的に接続される。
【００１９】
本発明の更に他のスピーカ用ダンパにおいては、さらに、前記筐体は、前記磁気回路部と振動板との間に配設された仕切板部であって該仕切板部を厚さ方向に貫通する貫通開口が形成された仕切板部を含み、前記振動側取付部及び連結部は放音側から観て前記貫通開口内に位置し、前記固定側取付部は、前記貫通開口の周縁において、前記仕切板部に一体的に接続される。
【００２０】
本発明のスピーカ装置においては、振動板と、該振動板を振動させるドライバユニットと、前記振動板の反放音側を覆うエンクロージャとして機能する筐体とを有するスピーカ装置であって、前記振動板及び筐体は、放音側から観て、幅が狭くて細長い平面形状を備え、前記ドライバユニットは、磁気回路部と、該磁気回路部と協働して振動を発生する駆動部材と、該駆動部材の振動を前記振動板に伝達する振動伝達部材とを備え、前記磁気回路部は前記筐体の外側かつ反放音側で前記筐体に保持され、前記振動伝達部材は、前記筐体の内側で、前記スピーカ用ダンパを介して、放音方向に振動可能に前記筐体に保持される。
【発明の効果】
【００２１】
本発明によれば、スピーカ用ダンパは、振動側取付部と固定側取付部とを連結する一対の連結部を備える。これにより、ダンパの放音方向の寸法を増加させることなく、振動側取付部と固定側取付部との間を伸縮可能とすることができるので、狭いスペースに配設可能であり、振動板の振動を妨げることがなく、製造が容易で、コストを低減することができる。
【図面の簡単な説明】
【００２２】
【図１】本発明の第１の実施の形態におけるスピーカ装置の斜視図であって、（ａ）は放音側から観た図、（ｂ）は反放音側から観た図である。
【図２】本発明の第１の実施の形態におけるスピーカ装置の二面図であって、（ａ）は平面図、（ｂ）は断面図であって（ａ）におけるＡ−Ａ矢視断面図である。
【図３】本発明の第１の実施の形態におけるスピーカ装置の分解図であって放音側から観た図である。
【図４】本発明の第１の実施の形態におけるスピーカ装置の分解図であって反放音側から観た図である。
【図５】本発明の第１の実施の形態におけるダンパの二面図であって、（ａ）は平面図、（ｂ）は側面図である。
【図６】本発明の第１の実施の形態におけるダンパとボビンとの関係を説明する斜視図であって、（ａ）はダンパにボビンを取付た状態を示す図、（ｂ）はダンパを示す図、（ｃ）はボビンを示す図である。
【図７】本発明の第１の実施の形態におけるダンパの性能を示す表であって、（ａ）はＷ／ｔと最低共振周波数との関係を示す表、（ｂ）は異音が発生した状態を示す表、（ｃ）はＷ／ｔと、最低共振周波数ｆ0 の最大値と最小値との差との関係を示す表である。
【図８】本発明の第１の実施の形態におけるダンパの性能を示すグラフである。
【図９】本発明の第２の実施の形態におけるダンパの平面図である。
【図１０】本発明の第３の実施の形態におけるスピーカ装置の分解図であって放音側から観た図である。
【図１１】本発明の第３の実施の形態におけるスピーカ装置の分解図であって反放音側から観た図である。
【図１２】従来のスピーカ装置のダンパを示す斜視図である。
【発明を実施するための形態】
【００２３】
以下、本発明の実施の形態について図面を参照しながら詳細に説明する。
【００２４】
図１は本発明の第１の実施の形態におけるスピーカ装置の斜視図である。なお、図において、（ａ）は放音側から観た図、（ｂ）は反放音側から観た図である。
【００２５】
図において、１０は本実施の形態におけるスピーカ装置であり、テレビジョン受信装置、ラジオ受信装置、パーソナルコンピュータ、ＣＤプレーヤ、ＤＶＤプレーヤ、ゲーム機等の各種の音響機器に装着されて使用され、電気信号である音声信号によって駆動され、音声信号を再生する音声発生器である。本実施の形態におけるスピーカ装置１０は、小型化することが可能であり、そのため、典型的には、液晶ディスプレイ、プラズマディスプレイ等を使用する薄型テレビジョン受信装置、携帯用パーソナルコンピュータ、ＰＤＡ（Ｐｅｒｓｏｎａｌ  Ｄｉｇｉｔａｌ  Ａｓｓｉｓｔａｎｔ）、携帯用ゲーム機等の薄型又は小型の電気機器、電子機器等に装着されて使用されるが、いかなる種類の、いかなる大きさの電気機器、電子機器等のいかなる部位に装着されて使用されてもよい。
【００２６】
なお、本実施の形態において、スピーカ装置１０の各部の構成及び動作を説明するために使用される上、下、左、右、前、後等の方向を示す表現は、絶対的なものでなく相対的なものであり、スピーカ装置１０又はその部品が図に示される姿勢である場合に適切であるが、スピーカ装置１０又はその部品の姿勢が変化した場合には、姿勢の変化に応じて変更して解釈されるべきものである。
【００２７】
そして、前記スピーカ装置１０は、音声信号を再生して音を発生するためのドライバユニットが備える磁気回路部４０と、該磁気回路部４０によって振動させられて音を発生する振動板４６と、前記磁気回路部４０、振動板４６等の各部材を保持する保持部材であるフレームとして機能するとともに、振動板４６の反放音側（音を放出する側の反対側）を囲むエンクロージャとしても機能する筐体としてのハウジング１１とを有する。なお、前記ドライバユニットは、後述されるボイスコイル４３、ボビン４４等をも備える。
【００２８】
また、前記スピーカ装置１０全体は、放音側（音を放出する側）から観て、平面に対するその投影面の外形が、細長い長方形のような形状、又は、長軸と短軸とを備える楕（だ）円、小判形等の形状である。換言すると、スピーカ装置１０は、全体として、長手方向（長軸方向）の寸法に対して幅方向（短軸方向）の寸法が短くなっている。
【００２９】
そして、前記ハウジング１１は、典型的には、合成樹脂等の樹脂から成る一体的に形成された部材であるが、アルミニウム、鋼、銅等の金属から成るものであってもよいし、樹脂、カーボン、金属等を複合した複合材から成るものであってもよい。また、前記ハウジング１１は、前板部１６と、側板部１２と、後板部１３と、端板部３５とを有し、反放音側の後板部１３を底とし、放音側の前板部１６の大部分が開放された有底容器状であって、長手方向（長軸方向）の寸法に対して幅方向（短軸方向）の寸法が短い有底容器状の部材である。なお、前記ハウジング１１の反放音側の長軸方向の中央部分には放音側に向けて凹入した凹部としての磁気回路収容凹部３４が形成され、該磁気回路収容凹部３４の長軸方向の両側は、相対的に反放音側に向けて突出する凸部としての磁気回路支持凸部１７となっている。そして、前記磁気回路部４０は、ハウジング１１の外側において、前記磁気回路収容凹部３４内に収容される。
【００３０】
このように、磁気回路部４０がハウジング１１の外側に露出しているので、磁気回路部４０が発生する熱を効率よく外気に放出することができ、スピーカ装置１０、特に磁気回路部４０の過熱を防止することができる。
【００３１】
なお、前記磁気回路支持凸部１７の内部には、後述される後方空間２１が形成され、また、前記磁気回路収容凹部３４の両側に配設された後板部１３の少なくとも一方には、前記後方空間２１とハウジング１１の外部とを連通する連通路１５の外側端である音質調整孔（こう）１５ａが形成されている。
【００３２】
さらに、前記後板部１３の音質調整孔１５ａの周囲には、後述されるボイスコイル４３と電気的に導通する端子５３が配設されている。該端子５３は、スピーカ装置１０が装着される電気機器、電子機器等が備えるアンプ等の音声信号発生機器に接続された相手方端子と嵌合され、前記音声信号発生機器からの電気信号である音声信号をボイスコイル４３に伝達するために使用される。なお、前記端子５３の位置は、必ずしも後板部１３の音質調整孔１５ａの周囲である必要はなく、任意に設定することができる。
【００３３】
また、前記磁気回路部４０は、矩形平板状乃至高さの低い直方体状の外形を備えるマグネット４１と、該マグネット４１の反放音側の面に取付けられたヨーク４８とを備える。前記マグネット４１は、保磁力の高い材質から成る永久磁石であり、前記ヨーク４８は、磁路を形成する部材であり、例えば、軟鉄等の透磁率の高い材質から成る。なお、前記ヨーク４８におけるマグネット４１の反放音側に露出する部分は、矩形平板状の形状を備える。当該部分は、その長軸方向の寸法がマグネット４１の長軸方向の寸法よりやや短く、その短軸方向の寸法がマグネット４１の短軸方向の寸法と同一又はやや短くなるように形成されている。また、前記磁気回路部４０は、全体として矩形平板状乃至高さの低い直方体状の外形を備え、概略矩形平板状乃至高さの低い直方体状の形状を備える前記磁気回路収容凹部３４内に収容されて取付けられる。
【００３４】
前記磁気回路部４０は、磁気回路収容凹部３４内に収容されて取付けられた状態において、その反放音側の面、すなわち、ヨーク４８の反放音側の面が後板部１３の反放音側の面とほぼ面一となる。また、前記磁気回路部４０は、その長軸方向の寸法が磁気回路収容凹部３４の長軸方向の寸法よりやや短く、その短軸方向の寸法がハウジング１１の短軸方向の寸法と同一又はやや短いので、磁気回路収容凹部３４内に確実に収容され、かつ、側板部１２より外方に突出することがない。
【００３５】
これにより、電気機器、電子機器等の内部におけるスピーカ装置１０を装着するスペースが狭く、ハウジング１１の前後方向（放音方向）の寸法以上の余裕がない場合であっても、スピーカ装置１０を装着して使用することが可能となる。
【００３６】
なお、前記ハウジング１１は、反放音側に向けて突出するカンチレバー状の磁気回路固定部材１８を備える。該磁気回路固定部材１８は、自由端にフックが形成され、磁気回路収容凹部３４の長軸方向両端にそれぞれ配設されている。そして、磁気回路支持凸部１７における磁気回路固定部材１８に対応する部位には、磁気回路固定部材収容凹部１８ａが形成され、磁気回路収容凹部３４の長軸方向外側への磁気回路固定部材１８の変位を吸収する。磁気回路収容凹部３４内に収容された磁気回路部４０は、磁気回路固定部材１８のフックがマグネット４１の反放音側の面に係合することによってロックされ、磁気回路収容凹部３４から離脱しないようになっている。したがって、ビス、金具等の取付用部材を用いることなく、磁気回路部４０をハウジング１１に容易に、かつ、確実に取付けることができる。
【００３７】
前記前板部１６には、後述される振動板収容開口部１６ａが形成され、該振動板収容開口部１６ａ内に振動板４６が収容される。該振動板４６は、平面に対するその投影面の外形が、細長い長方形のような形状、又は、長軸と短軸とを備える楕円、小判形等の形状であり、その短軸方向の寸法がハウジング１１の短軸方向の寸法と同一又はやや短い程度に設定されている。したがって、スピーカ装置１０の放音側から観ると、振動板４６の長軸方向外側には前板部１６が存在するが、振動板４６の短軸方向外側には前板部１６がほとんど存在しない。なお、前板部１６における振動板４６の長軸方向外側の部分は、反放音側から出る音が放音側に回込むことを防止するための隔壁であるバッフルとしての効果を奏する。
【００３８】
そして、前記振動板４６は、その中央に形成された中央開口部４６ａと、外周部に一体的に接続された振動板エッジ部４６ｂと、該振動板エッジ部４６ｂの外周に一体的に接続されたガスケット部４６ｃとを備える。前記中央開口部４６ａ内には、後述されるボビン４４の前端部に取付けられたダストキャップ４５が収容される。また、前記振動板エッジ部４６ｂは、柔軟性を高めるために湾曲した断面形状を備える。なお、前記振動板エッジ部４６ｂの平面形状は、長軸と短軸とを備える楕円、小判形等の形状である。さらに、前記ガスケット部４６ｃは、平板状の部材であり、その外周縁の形状は細長い長方形の四隅を斜めに切落したような形状である。
【００３９】
また、前記端板部３５は、取付部３５ａを有する。該取付部３５ａは、前記前板部１６と平行で、前記端板部３５から長手方向外方へ延出する固定板部３５ｂと、取付開口部３５ｃとを備える。前記固定板部３５ｂは、スピーカ装置１０が装着される電気機器、電子機器等が備える図示されないスピーカ固定用部材に当接する部分である。さらに、前記取付開口部３５ｃは、ボルト、ビス等の固着部材が挿通される部分である。なお、前記取付部３５ａの形状及び寸法は、電気機器、電子機器等の筐体におけるスピーカ装置１０が装着される部位の形状及び寸法に応じて適宜変更される。例えば、前記取付開口部３５ｃの径は、ボルト、ビス等の固着部材の外径に応じて変更される。さらに、前記固定板部３５ｂの形状及び寸法は、前記電気機器、電子機器等が備えるスピーカ固定用部材の形状及び寸法に応じて変更される。
【００４０】
次に、前記スピーカ装置１０の内部構造について説明する。
【００４１】
図２は本発明の第１の実施の形態におけるスピーカ装置の二面図、図３は本発明の第１の実施の形態におけるスピーカ装置の分解図であって放音側から観た図、図４は本発明の第１の実施の形態におけるスピーカ装置の分解図であって反放音側から観た図である。なお、図２において、（ａ）は平面図、（ｂ）は断面図であって（ａ）におけるＡ−Ａ矢視断面図である。
【００４２】
図に示されるように、磁気回路部４０は、マグネット４１の放音側の面に取付けられたトッププレートとしてのプレート４２を更に備える。該プレート４２は、矩形平板状の形状を備え、ヨーク４８と同様に、磁路を形成する部材であり、例えば、軟鉄等の透磁率の高い材質から成る。また、前記マグネット４１は、その中心を厚さ方向（図２（ｂ）における上下方向）に貫通する中心孔４１ａを備え、前記プレート４２も、その中心を厚さ方向（図２（ｂ）における上下方向）に貫通する中心孔４２ａを備える。そして、プレート４２がマグネット４１に取付けられた状態で、マグネット４１の中心孔４１ａとプレート４２の中心孔４２ａとは同心円となるように形成されている。なお、マグネット４１の中心孔４１ａよりもプレート４２の中心孔４２ａの方が小径であることが望ましい。
【００４３】
また、ヨーク４８は、その中心から鉛直に放音側方向に延出する円柱状の中心柱部４８ａを備える。そして、ヨーク４８がマグネット４１に取付けられた状態で、前記中心柱部４８ａは、マグネット４１の中心孔４１ａ内とプレート４２の中心孔４２ａ内に挿入される。該プレート４２の中心孔４２ａの内周面とヨーク４８の中心柱部４８ａの外周面との間に形成された空間が磁気ギャップとなり、該磁気ギャップ内に、コイルとしてのボイスコイル４３が配設される。
【００４４】
該ボイスコイル４３は、例えば、銅等の導電性の高い材質から成る導線を、前後方向、すなわち、放音方向（図２（ｂ）における上方向）に延在する円筒状のボビン４４の後端部の外周面に巻付けて形成された部材であって、駆動部材として機能する。そして、前記ボイスコイル４３は、全体として肉薄の円筒状の形状を備え、前記磁気ギャップ内に、前後方向、すなわち、放音方向に移動可能乃至振動可能に配設されている。
【００４５】
また、前記ボビン４４は、振動伝達部材として機能し、前記ボイスコイル４３の前端から前方に向けて延出し、その前端部には、概略円板状の部材であるダストキャップ４５が接続されている。そして、前記ボビン４４の外側面には、ダンパ５０の振動側取付部としてのボビン接続部５１が取付けられている。なお、前記ダンパ５０の固定側取付部としてのハウジング接続部５６は、磁気回路部４０を固定する固定部材として機能するハウジング１１に取付けられている。これにより、前記ボイスコイル４３は、前記磁気ギャップの両面、すなわち、磁極として機能するプレート４２の中心孔４２ａの内周面及びヨーク４８の中心柱部４８ａの外周面に接触することなく、放音方向に移動可能乃至振動可能に保持される。
【００４６】
なお、ボビン４４には、コード５２が取付けられている。該コード５２は、電気信号である音声信号をボイスコイル４３に伝達する電線であり、図示されない一端がボイスコイル４３に接続され、他端は、端子５３に接続される。前記コード５２は、全長が長いものであるが、図３及び４では、図示の都合上、一部分のみが描画されている。
【００４７】
さらに、前記ボビン４４の外側面には、振動板４６の中央開口部４６ａの内周縁が接続されている。なお、前記振動板４６は、前記ダンパ５０よりも前方、すなわち、放音側に配設される。そして、前記振動板４６のガスケット部４６ｃは、例えば、ＥＶＡ（エチレン−酢酸ビニル共重合樹脂）等の柔軟性を備える材質から成り、その後面がハウジング１１の前板部１６に形成された振動板収容開口部１６ａの周縁部１６ｂに接着剤等によって固着されて取付けられる。これにより、振動板４６は、振動を妨害されることなく、前板部１６によって保持される。
【００４８】
図４に示されるように、磁気回路収容凹部３４は、前板部１６及び後板部１３に平行な仕切板部３７と、該仕切板部３７と直交し、放音方向に延在する一対の磁気回路支持凸側部１７ａとによって三方を画定された凹部である。なお、各磁気回路支持凸側部１７ａの中央付近には、磁気回路支持凸側部１７ａに沿って延在する磁気回路固定部材１８が配設されている。
【００４９】
前記仕切板部３７は、ハウジング１１の内部と外部とを仕切る矩形平板状の部分であり、放音方向に関して、前板部１６と後板部１３との間に位置し、磁気回路収容凹部３４内に収容された磁気回路部４０の放音側の面であるプレート４２の放音側の面が当接する。前述のように、磁気回路部４０は、磁気回路収容凹部３４内に収容されて取付けられた状態において、その反放音側の面が後板部１３の反放音側の面とほぼ面一となるので、放音方向に関して、仕切板部３７と後板部１３との距離は、磁気回路部４０の厚さ方向の寸法とほぼ等しくなっている。
【００５０】
そして、前記仕切板部３７には、その中央を厚さ方向に貫通するコイル通過開口部３６が形成されている。図２（ｂ）に示されるように、ボビン４４のほぼ全体は、ハウジング１１の内部、すなわち、仕切板部３７よりも放音側に位置するが、ボイスコイル４３の少なくとも後端部分は、コイル通過開口部３６を通過して仕切板部３７よりも反放音側にまで延出し、これにより、仕切板部３７よりも反放音側に位置する磁気ギャップ内に到達するようになっている。
【００５１】
また、仕切板部３７の放音側における周縁には、図３に示されるように、仕切板部３７よりも放音側に延出するダンパ接続部３７ａが形成されている。該ダンパ接続部３７ａの放音側の面には、ダンパ５０のハウジング接続部５６が接着剤等によって固着される。
【００５２】
本実施の形態において、前記ダンパ５０は、スピーカ装置１０に使用されるスピーカ用ダンパであって、ナイロン等の樹脂から成る一体的に形成された扁（へん）平な部材であり、円環状、すなわち、フランジ状のボビン接続部５１と、該ボビン接続部５１の周囲を囲繞（にょう）する矩形環状のハウジング接続部５６と、前記ボビン接続部５１とハウジング接続部５６とを連結する連結部として略Ｓ字状の一対の連結腕部５５とを備える。なお、前記ハウジング接続部５６は、ハウジング１１の短軸方向に延在する一対の短辺部５６ａとハウジング１１の長軸方向に延在する一対の長辺部５６ｂとを含み、各連結腕部５５は短辺部５６ａに接続されている。
【００５３】
前記連結腕部５５は、平坦（たん）な帯状の部材であるが、平面形状が略Ｓ字状に湾曲していることによって柔軟性を発揮することができ、ボビン接続部５１に接続された端部と、ハウジング接続部５６の短辺部５６ａに接続された端部との間隔が、ハウジング１１の長軸方向に関して、伸縮可能となっている。したがって、ボビン接続部５１の中心開口５１ａに挿入されて接続されたボビン４４は、ボイスコイル４３及び振動板４６とともに、放音方向に移動可能である。これにより、振動板４６は、拘束されることなく振動することができる。
【００５４】
なお、前記ダンパ５０の放音側の面には、コード５２をガイドするガイド片５４及びコード５２を固定する固定片５４ａが形成されている。これにより、コード５２はダンパ５０の放音側の面に保持される。また、連結腕部５５にガイド片５４を形成することによって、連結腕部５５の断面二次係数を大きくして、連結腕部５５の捩（ねじ）れ剛性を高くすることができる。なお、前記ガイド片５４及び固定片５４ａは、適宜省略することができる。
【００５５】
ハウジング１１の内部における振動板４６より反放音側には、音響空間として機能する後方空間２１が形成される。該後方空間２１は、側板部１２、後板部１３、端板部３５、仕切板部３７、磁気回路支持凸側部１７ａ、振動板４６、ボビン４４及び磁気回路部４０によって周囲を画定された空間である。したがって、ハウジング１１は、エンクロージャとして機能し、スピーカ装置１０の性能を十分に発揮させることができる。
【００５６】
また、前記後方空間２１内における仕切板部３７の長軸方向両側には、磁気回路部４０の放音側の面であるプレート４２の放音側の面よりも反放音側に凹入した凹入空間２１ａが形成されている。該凹入空間２１ａは、磁気回路支持凸部１７の内部空間に対応する空間である。なお、前述のように、磁気回路部４０の反放音側の面が後板部１３の反放音側の面とほぼ面一となるのであるから、前記凹入空間２１ａの深さ、すなわち、凹入空間２１ａの放音方向の寸法は、磁気回路部４０の厚さ方向の寸法とほぼ等しくなっている。
【００５７】
このように、一対の凹入空間２１ａを形成することによって、振動板４６より反放音側において音響空間として機能する後方空間２１の容積を大きくすることができる。したがって、スピーカ装置１０全体の外形寸法が小さくても、エンクロージャとしてのハウジング１１の容積、つまり、音響空間として機能する後方空間２１の容積を大きくすることができるので、切れのよい低音及びクリアな中高音を再現することができ、音の再現性が良好となり、音質が向上する。
【００５８】
さらに、本実施の形態においては、一対の凹入空間２１ａの少なくとも一方は、連通路１５を備える。図に示される例では、図２（ｂ）における右側の凹入空間２１ａのみが連通路１５を備えているが、左側の凹入空間２１ａのみが連通路１５を備えていてもよいし、左右両側の凹入空間２１ａが連通路１５を備えていてもよい。
【００５９】
該連通路１５は、凹入空間２１ａ内において、放音方向に延在し、その反放音側端部は後板部１３に形成された音質調整孔１５ａである。なお、図に示される例では、音質調整孔１５ａの形状が略Ｔ字状となっているが、その形状は、略Ｔ字状に限定されるものでなく、いかなる形状であってもよい。また、音質調整孔１５ａの面積も、適宜設定することができる。
【００６０】
これにより、エンクロージャとして機能する後方空間２１は、連通路１５及び音質調整孔１５ａを介して外部と連通する。したがって、前記連通路１５及び音質調整孔１５ａの長さ、断面形状、断面の大きさ等を調整することによって種々の周波数帯での音圧をコントロールすることができる。特に、低い周波数帯での音質を向上させることができる。
【００６１】
次に、前記ダンパ５０の構成について詳細に説明する。
【００６２】
図５は本発明の第１の実施の形態におけるダンパの二面図、図６は本発明の第１の実施の形態におけるダンパとボビンとの関係を説明する斜視図、図７は本発明の第１の実施の形態におけるダンパの性能を示す表、図８は本発明の第１の実施の形態におけるダンパの性能を示すグラフである。なお、図５において、（ａ）は平面図、（ｂ）は側面図であり、図６において、（ａ）はダンパにボビンを取付けた状態を示す図、（ｂ）はダンパを示す図、（ｃ）はボビンを示す図であり、図７において、（ａ）はＷ／ｔと最低共振周波数との関係を示す表、（ｂ）は異音が発生した状態を示す表、（ｃ）はＷ／ｔと、最低共振周波数ｆ0 の最大値と最小値との差との関係を示す表である。
【００６３】
前述のように、ガイド片５４及び固定片５４ａは、適宜省略することができるので、図５には、基本形として、ガイド片５４及び固定片５４ａが省略されたダンパ５０が示されている。
【００６４】
図５に示されるように、ダンパ５０は、基本的に、外力が付与されない初期状態では厚さｔの平板状の部材であり、平面形状が円形のボビン接続部５１と、平面形状が略矩形のハウジング接続部５６と、平面形状が略Ｓ字状の連結腕部５５とを備える。なお、ボビン接続部５１の内側には、ダンパ５０の厚さ方向に貫通する円形の中心開口５１ａが形成され、ボビン接続部５１とハウジング接続部５６との間における連結腕部５５以外の部分には、ダンパ５０の厚さ方向に貫通する周縁開口５１ｂが形成されている。空気が自由に前記周縁開口５１ｂを通過することができるので、振動板４６の反放音側の後方空間２１内における空気の移動がダンパ５０によって阻害されることがない。
【００６５】
そして、ダンパ５０をスピーカ装置１０に装着していない状態において、図５（ａ）に示されるような平面上で、略矩形のハウジング接続部５６の長軸αと短軸βとの交点は、ハウジング接続部５６の中心点であると同時に円形のボビン接続部５１及びその中心開口５１ａの中心点となるように配設されている。なお、前記長軸α及び短軸βは、放音側から観て、幅が狭くて細長い平面形状を備える振動板４６の長軸及び短軸と、図５（ａ）に示されるような平面上においては実質的に一致し、長軸αと短軸βとの交点も、振動板４６の長軸と短軸との交点と、図５（ａ）に示されるような平面上においては実質的に一致する。
【００６６】
また、図５（ａ）に示されるような平面上で、連結腕部５５は、ボビン接続部５１に接続された端部である第１接続端部５５ａが長軸α及び短軸βのいずれの上にも位置せず、ハウジング接続部５６の短辺部５６ａに接続された端部である第２接続端部５５ｂも長軸α及び短軸βのいずれの上にも位置しないように配設されている。さらに、各連結腕部５５の第１接続端部５５ａと第２接続端部５５ｂとは、長軸αを挟んで、互いに反対側に位置するように配設されている。つまり、第１接続端部５５ａは一方の長辺部５６ｂに近い位置でボビン接続部５１に接続され、第２接続端部５５ｂは他方の長辺部５６ｂに近い位置で短辺部５６ａに接続され、連結腕部５５は長軸αを横切っている。さらに、一対の連結腕部５５のそれぞれは、長軸αと短軸βとの交点に関して、互いに点対称となるように配設されている。さらに、連結腕部５５は、湾曲して弧を描くような形状をしているが、その湾曲中心は、ボビン接続部５１及びその中心開口５１ａの中心点に一致していない。すなわち、連結腕部５５は、ボビン接続部５１と同心円を形成するものでない。さらに、連結腕部５５は、短軸βの方向に関して、ボビン接続部５１よりも外方に突出しない。
【００６７】
なお、図５（ａ）に示されるような平面上で、連結腕部５５は帯状であり、その幅Ｗ及び厚さｔは、第１接続端部５５ａから第２接続端部５５ｂまでの全範囲において、ほぼ一定である。
【００６８】
以上のような連結腕部５５の平面形状から理解し得るように、図５（ａ）に示されるような平面上で、連結腕部５５は、長軸αの方向に冗長に、すなわち、屈曲しながら延在するように形成されているので、長軸αの方向に伸縮可能となっている。また、ボビン接続部５１は、２箇所のみにおいて、連結腕部５５を介してハウジング接続部５６の左右の短辺部５６ａのみと、それぞれ、連結されている。これにより、ハウジング接続部５６の短辺部５６ａとボビン接続部５１との間隔が、長辺部５６ｂ等によって拘束されることなく、自由に伸縮可能となっている。したがって、ボビン接続部５１に接続されたボビン４４及びボイスコイル４３が放音方向に、自由に移動することができる。
【００６９】
しかも、各連結腕部５５の第１接続端部５５ａと第２接続端部５５ｂとは、長軸αを挟んで、互いに反対側に位置するように配設されているので、ボビン接続部５１の短軸βの方向の動きが制限され、ボビン接続部５１が短軸βの方向に変位することが防止される。また、ボビン接続部５１は、一対の連結腕部５５によって左右両側の短辺部５６ａに接続されているので、ボビン接続部５１と左側の短辺部５６ａとの間隔、及び、ボビン接続部５１と右側の短辺部５６ａとの間隔が均等に維持され、ボビン接続部５１が長軸αの方向に変位することが防止される。したがって、ボビン接続部５１に接続されたボビン４４及びボイスコイル４３が放音方向に対して垂直な方向に変位してしまうことがない。
【００７０】
さらに、連結腕部５５の幅Ｗが厚さｔに対して大きいので、連結腕部５５が捩れることが抑制され、ボビン接続部５１が図５（ａ）に示されるような平面に対して傾斜することがない。したがって、ボビン接続部５１に接続されたボビン４４及びボイスコイル４３が放音方向に対して傾斜してしまうことがない。なお、連結腕部５５の幅Ｗと厚さｔとの関係は、Ｗ／ｔ≧２であることが望ましく、Ｗ／ｔ＝２〜１０であることがより望ましく、Ｗ／ｔ＝２〜７であることが更に望ましい。
【００７１】
さらに、連結腕部５５が略Ｓ字状であって弧を描くような平面形状を備え、かつ、第１接続端部５５ａと第２接続端部５５ｂとは、長軸αを挟んで、互いに反対側に位置するように配設されているので、ボビン接続部５１の回転を抑制することができる。したがって、ボビン接続部５１に接続されたボビン４４及びボイスコイル４３が、その軸を中心として回転してしまうことがない。
【００７２】
本発明の発明者は、スピーカ装置１０の実機を試作するとともに、幅Ｗと厚さｔとの関係が相違する連結腕部５５を備える複数種類のダンパ５０を試作し、各種類のダンパ５０を取付けたスピーカ装置１０の実機の音響性能を測定し、前記Ｗ／ｔの数値を設定した。
【００７３】
具体的には、前記スピーカ装置１０の実機を３つ、すなわち、試験機ｎ１、ｎ２及びｎ３を作成し、各試験機にＷ／ｔ＝１、２、５及び７の４種類の連結腕部５５を備えるダンパ５０を付替えて、各試験機の最低共振周波数ｆ0 を実際に測定した。なお、各試験機は、定格出力が１０〔Ｗ〕、入力インピーダンスが８〔Ω〕、定格電圧が８〔Ｖ〕、最低共振周波数ｆ0 の規格値が２５０〔Ｈｚ〕±２０〔％〕である。つまり、ｆ0 の最大値ｆ0 max と最小値ｆ0 min の差は、１００〔Ｈｚ〕まで許容されているので、前記最低共振周波数ｆ0 の規格値は、２００〜３００〔Ｈｚ〕であるとも言える。そして、１〔Ｗ〕の定格正弦波（周波数１０〔Ｈｚ〕〜２０〔ＫＨｚ〕）を各試験機に入力してインピーダンスを測定し、インピーダンスのピークに該当する周波数を最低共振周波数ｆ0 として測定した。なお、測定時の環境は、気温２３．３〔℃〕、湿度１７〔％〕、気圧１０１０〔ｈｐａ〕であった。
【００７４】
図７（ａ）は、測定結果をＷ／ｔと最低共振周波数ｆ0 との関係として示した表である。該表において、最上行、すなわち、第１の行はＷ／ｔの値を示し、第２〜４の行は、各Ｗ／ｔの値に対応する試験機ｎ１〜ｎ３の最低共振周波数ｆ0 の実測値を示し、第５行は、ａｖであって、各Ｗ／ｔの値に対応する試験機ｎ１〜ｎ３の最低共振周波数ｆ0 の平均値を示し、第６行は、ｍａｘであって、各Ｗ／ｔの値に対応する試験機ｎ１〜ｎ３の最低共振周波数ｆ0 の最大値を示し、第７行は、ｍｉｎであって、各Ｗ／ｔの値に対応する試験機ｎ１〜ｎ３の最低共振周波数ｆ0 の最小値を示し、最下行、すなわち、第８行は、ｆ0 max −ｆ0 min であって、各Ｗ／ｔの値に対応する試験機ｎ１〜ｎ３の最低共振周波数ｆ0 の最大値と最小値との差を示している。
【００７５】
なお、図７（ａ）に示される表において、Ｘは、異音が発生したために、最低共振周波数ｆ0 の実測と、対応する平均値、最小値、最大値及び差分の算出とが不能になったことを示している。
【００７６】
図７（ｂ）は、図７（ａ）に示される表に基づいて作成された、異音が発生した状態を示す表である。該表において、Ｏ．Ｋ．は、異音が発生せず、最低共振周波数ｆ0 の実測が可能であったことを示し、Ｎ．Ｇ．は、異音が発生したために、最低共振周波数ｆ0 の実測が不能であったことを示している。図７（ｂ）に示される表から、Ｗ／ｔ＝１の場合には、異音が発生してしまうことが分かる。該異音は、ボビン４４又はボイスコイル４３が他の部材に衝突して発生した音であると考えられる。つまり、連結腕部５５の幅Ｗと厚さｔとを等しくすると、ボビン接続部５１に接続されたボビン４４及びボイスコイル４３が放音方向に対して傾斜してしまい、その結果、ボビン４４又はボイスコイル４３が周辺に存在する他の部材に衝突して異音を発生する、と考えられる。
【００７７】
図７（ｃ）は、図７（ａ）に示される表に基づいて作成された、Ｗ／ｔと、最低共振周波数ｆ0 の最大値と最小値との差との関係を示した表である。また、図８は、図７（ｃ）に示される表の値を示すグラフであり、横軸がＷ／ｔを示し、縦軸が最低共振周波数ｆ0 の最大値と最小値との差を示している。なお、◆は、図７（ｃ）に示される表の値を示す点であり、曲線は、各点を結ぶ指数曲線であり、最小二乗法等の方法によって、作成された曲線である。
【００７８】
図７（ｃ）及び８から、Ｗ／ｔの値が増加するにつれて最低共振周波数ｆ0 の最大値と最小値との差が減少し、ボビン接続部５１に接続されたボビン４４及びボイスコイル４３の放音方向に対する傾斜がより効果的に抑制される、ことが分かる。そして、Ｗ／ｔ＝２の場合も、最低共振周波数ｆ0 の規格値である２５０〔Ｈｚ〕±２０〔％〕の範囲内に収まっている。したがって、Ｗ／ｔ≧２であることが望ましい、と言える。
【００７９】
図６（ｂ）に明確に示されるように、必要に応じて、ダンパ５０の放音側の面に、コード５２をガイドするガイド片５４及びコード５２を固定する固定片５４ａを一体的に形成することができる。前記ガイド片５４は、望ましくは、ボビン接続部５１、連結腕部５５及びハウジング接続部５６の縁の全部又は一部に沿うように延在し、かつ、ダンパ５０の放音側に向けて延出するように形成される。また、前記固定片５４ａは、ガイド片５４の一部を更に延出させるようにして、単数又は複数で、任意の部位に形成される。
【００８０】
そして、図６（ｃ）に示されるようなボビン４４が、ダンパ５０の放音側からボビン接続部５１の中心開口５１ａに挿入され、図６（ａ）に示されるように、ボビン接続部５１に固定されて接続される。コード５２は、連結腕部５５等のガイド片５４に沿うように配設され、固定片５４ａによってかしめ固定されることにより、連結腕部５５等の放音側の面に保持される。
【００８１】
このように、本実施の形態において、ダンパ５０は、磁気回路部４０と協働して振動を発生するボイスコイル４３の振動を振動板４６に伝達するボビン４４を放音方向に振動可能に支持し、外力が付与されない初期状態において平板状であり、ボビン４４に取付けられるボビン接続部５１と、磁気回路部４０を固定するハウジング１１に取付けられるハウジング接続部５６と、ボビン接続部５１とハウジング接続部５６とを連結する連結腕部５５とを含み、連結腕部５５は一対であって、各連結腕部５５は、略Ｓ字状の平面形状を備え、ボビン接続部５１の２箇所にそれぞれ接続される。
【００８２】
これにより、連結腕部５５にコルゲーションを付与しなくても、ボビン接続部５１とハウジング接続部５６との間が伸縮可能となるので、ダンパ５０の放音方向の寸法、すなわち、厚さを増加させることなく、ボビン接続部５１に接続されたボビン４４及びボイスコイル４３を放音方向に自由に移動させて振動させることができる。また、コルゲーションを付与するための工程が不要なので、ダンパ５０を容易に製造することができ、コストを低減することができる。
【００８３】
また、振動板４６は、放音側から観て、幅が狭くて細長い平面形状を備え、連結腕部５５は、外力が付与されない初期状態において平板状であり、かつ、振動板４６の長手方向に屈曲しながら延在する。したがって、平面上で、連結腕部５５は、振動板４６の長手方向に冗長になり、振動板４６の長手方向に伸縮可能となる。
【００８４】
さらに、連結腕部５５のそれぞれにおいて、ボビン接続部５１に接続される第１接続端部５５ａとハウジング接続部５６に接続される第２接続端部５５ｂとは、ボビン接続部５１の中心を通過して振動板４６の長手方向に延在する長軸αを挟んで互いに反対側に位置する。これにより、ボビン接続部５１の振動板４６の長手方向及び短手方向への動きが制限され、ボビン接続部５１が振動板４６の長手方向及び短手方向に変位することが防止される。したがって、ボビン接続部５１に接続されたボビン４４及びボイスコイル４３が放音方向に対して垂直な方向に変位してしまうことがなく、ボイスコイル４３は、磁気ギャップ内において、プレート４２の中心孔４２ａの内周面又はヨーク４８の中心柱部４８ａの外周面と干渉することがない。
【００８５】
さらに、連結腕部５５は、幅Ｗ及び厚さｔが一定の帯状であり、Ｗ／ｔ＝２〜７の関係を満足する。したがって、連結腕部５５が捩れることが抑制され、ボビン接続部５１が図５（ａ）に示されるような平面に対して傾斜することがなく、ボイスコイル４３は、磁気ギャップ内において、プレート４２の中心孔４２ａの内周面又はヨーク４８の中心柱部４８ａの外周面と干渉することがない。
【００８６】
さらに、ハウジング接続部５６は、振動板４６の長手方向に延在する長辺部５６ｂと、振動板４６の短手方向に延在する短辺部５６ａとを含む矩形の平面形状を備える。これにより、ダンパ５０をハウジング１１のダンパ接続部３７ａに強固に固定することができる。
【００８７】
また、本実施の形態において、スピーカ装置１０は、振動板４６と、振動板４６を振動させるドライバユニットと、振動板４６の反放音側を覆うエンクロージャとして機能するハウジング１１とを有し、振動板４６及びハウジング１１は、放音側から観て、幅が狭くて細長い平面形状を備え、ドライバユニットは、磁気回路部４０と、磁気回路部４０と協働して振動を発生するボイスコイル４３と、ボイスコイル４３の振動を振動板４６に伝達するボビン４４とを備え、磁気回路部４０はハウジング１１の外側かつ反放音側でハウジング１１に保持され、ボビン４４は、ハウジング１１の内側で、本実施の形態におけるダンパ５０を介して、放音方向に振動可能にハウジング１１に保持される。
【００８８】
これにより、前述のダンパ５０の奏する効果に加えて、フレーム等の別部材を用いることなく、一体的に形成されたハウジング１１だけでドライバユニット及び振動板４６を保持することができ、部品点数を削減し、組立が容易となり、スピーカ装置１０のコストを低減することができる。また、一体的に形成されたハウジング１１で振動板４６の反放音側を覆うので、エンクロージャとしての機能が向上し、幅が狭くて細長い形状を採用しても、音の再現性が良好で、音質が高いスピーカ装置１０を提供することができる。さらに、磁気回路部４０の放音側の面より反放音側に凹入する凹入空間２１ａを備えるので、スピーカ装置１０の放音方向の寸法を小さくして小型化しても、エンクロージャとしてのハウジング１１の容積を大きくすることができ、切れのよい低音及びクリアな中高音を再現することができ、音の再現性が良好となり、音質が向上する。
【００８９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９０】
図９は本発明の第２の実施の形態におけるダンパの平面図である。
【００９１】
本実施の形態におけるダンパ５０では、図に示されるように、ハウジング接続部５６が、長辺部５６ｂを備えておらず、かつ、短辺部５６ａも一部分のみを備えている。すなわち、前記第１の実施の形態におけるダンパ５０と比較すると、本実施の形態におけるダンパ５０では、ハウジング接続部５６における長辺部５６ｂの全部及び短辺部５６ａの半分程度が削除されているが、各連結腕部５５の第２接続端部５５ｂが接続されている部分の短辺部５６ａは残っている。
【００９２】
なお、ダンパ５０及びスピーカ装置１０におけるその他の点の構成については、前記第１の実施の形態と同様であるので、その説明を省略する。
【００９３】
このように、本実施の形態において、ダンパ５０は、ハウジング接続部５６が矩形でない。すなわち、ハウジング接続部５６は、振動板４６の短手方向に延在する細長い帯状の平面形状を備える。
【００９４】
これにより、ダンパ５０全体の平面における外形寸法を小さくすることができ、ハウジング１１のダンパ接続部３７ａを小型化することが可能となる。また、ハウジング接続部５６における長辺部５６ｂが削除されているので、実質的に、周縁開口５１ｂの面積が拡大し、振動板４６の反放音側の後方空間２１内における空気の移動がダンパ５０によって阻害されることがない。
【００９５】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９６】
図１０は本発明の第３の実施の形態におけるスピーカ装置の分解図であって放音側から観た図、図１１は本発明の第３の実施の形態におけるスピーカ装置の分解図であって反放音側から観た図である。
【００９７】
本実施の形態におけるダンパ５０は、前記第２の実施の形態と同様の形状を備えるものであるが、ハウジング１１と一体的に形成されている。具体的には、図に示されるように、ダンパ５０は、ハウジング接続部５６が短辺部５６ａの一部分のみを備え、長辺部５６ｂを備えておらず、前記短辺部５６ａの一部分がハウジング１１の仕切板部３７におけるダンパ接続部３７ａに、前記仕切板部３７と一体的になるように接続されている。
【００９８】
図に示される例では、前記短辺部５６ａの一部分に、ダンパ５０における他の部分よりも肉厚の一体接続部５６ｃが形成され、該一体接続部５６ｃの下端面（反放音側の面）がダンパ接続部３７ａの上面（放音側の面）に一体的に接続されている。
【００９９】
また、前記仕切板部３７には、前記第１の実施の形態におけるコイル通過開口部３６よりも大きな開口であって、前記仕切板部３７を厚さ方向に貫通する貫通開口であるダンパ収容開口３８が形成されている。該ダンパ収容開口３８は、前記第１の実施の形態において説明した図５（ａ）に示されるダンパ５０の中心開口５１ａと周縁開口５１ｂとを集合させたような形状及び大きさの開口である。したがって、本実施の形態においては、図１０及び１１に示されるように、ダンパ５０における一体接続部５６ｃ以外の部分が、放音側から観て、前記ダンパ収容開口３８内に位置する。
【０１００】
そして、ハウジング接続部５６における長辺部５６ｂが省略されているので、ボビン接続部５１とハウジング１１の側板部１２の内面との間のスペースが増加している。換言すると、前記側板部１２をボビン接続部５１に近接させることができるので、ハウジング１１の幅方向の寸法を小さくすることができる。
【０１０１】
さらに、本実施の形態におけるハウジング１１は、磁気回路固定部材１８を備えておらず、磁気回路支持凸部１７には磁気回路固定部材収容凹部１８ａが形成されていない。これにより、前記磁気回路支持凸部１７及び磁気回路収容凹部３４の構成を簡素化することができ、ハウジング１１を容易に製造することができる。また、磁気回路支持凸部１７の内部に形成された後方空間２１の容積が増加するので、スピーカ装置１０の音響性能が向上する。
【０１０２】
また、磁気回路収容凹部３４内に収容された磁気回路部４０は、接着剤によってハウジング１１に固定される。これにより、磁気回路部４０は、ハウジング１１に強固に固定され、磁気回路収容凹部３４内から離脱しないようになっている。そして、ハウジング１１の長手方向に関して、磁気回路収容凹部３４の両側を画定する磁気回路支持凸側部１７ａの放音側端には、余剰の接着剤を収容する接着剤溜（た）まり溝１８ｂが形成されている。
【０１０３】
なお、ダンパ５０及びスピーカ装置１０におけるその他の点の構成については、前記第１及び第２の実施の形態と同様であるので、その説明を省略する。
【０１０４】
このように、本実施の形態において、ダンパ５０は、ハウジング接続部５６の一体接続部５６ｃが仕切板部３７に一体的に接続されている。すなわち、ハウジング接続部５６は、振動板４６の短手方向に延在する細長い帯状の平面形状を備え、ハウジング１１に一体的に接続される。
【０１０５】
これにより、ダンパ５０全体の平面における外形寸法を小さくすることができるとともに、ダンパ５０とハウジング１１とが一体化するので、ダンパ５０をハウジング１１に取付ける工程が不要となり、部品点数が減少し、スピーカ装置１０の製造コストを低減することができる。
【０１０６】
また、ハウジング１１は、磁気回路部４０と振動板４６との間に配設された仕切板部３７であって仕切板部３７を厚さ方向に貫通するダンパ収容開口３８が形成された仕切板部３７を含み、ボビン接続部５１及び連結腕部５５は放音側から観てダンパ収容開口３８内に位置し、ハウジング接続部５６は、ダンパ収容開口３８の周縁において、仕切板部３７に一体的に接続される。
【０１０７】
これにより、仕切板部３７の両側を連通するダンパ収容開口３８が大型化され、振動板４６の反放音側の後方空間２１内における空気の移動が仕切板部３７によって阻害されることがない。
【０１０８】
なお、本発明は前記実施の形態に限定されるものではなく、本発明の趣旨に基づいて種々変形させることが可能であり、それらを本発明の範囲から排除するものではない。
【産業上の利用可能性】
【０１０９】
本発明は、スピーカ装置に適用することができる。
【符号の説明】
【０１１０】
１０    スピーカ装置
１１    ハウジング
１２    側板部
１３    後板部
１５    連通路
１５ａ    音質調整孔
１６    前板部
１６ａ    振動板収容開口部
１６ｂ    周縁部
１７    磁気回路支持凸部
１７ａ    磁気回路支持凸側部
１８    磁気回路固定部材
１８ａ    磁気回路固定部材収容凹部
１８ｂ    接着剤溜まり溝
２１    後方空間
２１ａ    凹入空間
３４    磁気回路収容凹部
３５    端板部
３５ａ    取付部
３５ｂ    固定板部
３５ｃ    取付開口部
３６    コイル通過開口部
３７    仕切板部
３７ａ    ダンパ接続部
３８    ダンパ収容開口
４０    磁気回路部
４１    マグネット
４１ａ、４２ａ    中心孔
４２    プレート
４３    ボイスコイル
４４    ボビン
４５    ダストキャップ
４６    振動板
４６ａ    中央開口部
４６ｂ    振動板エッジ部
４６ｃ    ガスケット部
４８    ヨーク
４８ａ    中心柱部
５０、８５０    ダンパ
５１    ボビン接続部
５１ａ    中心開口
５１ｂ    周縁開口
５２    コード
５３    端子
５４    ガイド片
５４ａ    固定片
５５    連結腕部
５５ａ    第１接続端部
５５ｂ    第２接続端部
５６    ハウジング接続部
５６ａ    短辺部
５６ｂ    長辺部
５６ｃ    一体接続部
８５１    ボイスコイル接着部
８５２    支持梁
８５３    フレーム貼着部
【図１】
2013192205.tif 000003
【図２】
2013192205.tif 000004
【図３】
2013192205.tif 000005
【図４】
2013192205.tif 000006
【図５】
2013192205.tif 000007
【図６】
2013192205.tif 000008
【図７】
2013192205.tif 000009
【図８】
2013192205.tif 000010
【図９】
2013192205.tif 000011
【図１０】
2013192205.tif 000012
【図１１】
2013192205.tif 000013
【図１２】
2013192205.tif 000014